(57)【要約】【課題】回転直線運動変換機構のより多様な構造に対応して遊星軸の傾きを抑制することのできる回転直線運動変換機構の製造方法を提供する。【解決手段】この製造方法では、次の各工程を含めて回転直線運動変換機構１の製造を行う。サンシャフト本体３１の雄ねじ３４に接着剤を塗布する工程。サンシャフト本体３１と各プラネタリシャフト本体４１とを組み合わせて第１アッセンブリを組み立てる工程。第１アッセンブリと前面リングギア２２とを組み合わせて第２アッセンブリを組み立てる工程。第２アッセンブリとリングシャフト本体２１とを組み合わせて第３アッセンブリを組み立てる工程。各ギア２３，３３，４３を組み合わせてギアアッセンブリを組み立てる工程。第３アッセンブリとギアアッセンブリとを組み合わせて第４アッセンブリを組み立てる工程。第４アッセンブリと各カラー５１，５２とを組み合わせて回転直線運動変換機構１を組み立てる工程。【選択図】図６
2008002583.tif 000002
【特許請求の範囲】
【請求項１】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体を含めて構成されること、
前記太陽軸が雄ねじを有する太陽軸本体を含めて構成されること、
前記遊星軸が雄ねじを有する遊星軸本体を含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記円環軸、前記太陽軸及び前記遊星軸よりも低い融点を有するとともに一方の要素に対する他方の要素の姿勢を固定することができる固定剤を準備した後、前記太陽軸本体の雄ねじ及び前記遊星軸本体の雄ねじの少なくとも一方に該固定剤を塗布する第１工程」
「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記第１工程を経た後に前記遊星軸本体を前記基準姿勢に保持した状態で該第１集合体を組み立てる第２工程」
「前記第１集合体と前記円環軸本体との組み合わせにより構成される集合体を第２集合体として、該第２集合体を組み立てる第３工程」
ことを特徴とする回転直線運動変換機構の製造方法。
【請求項２】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体を含めて構成されること、
前記太陽軸が雄ねじを有する太陽軸本体を含めて構成されること、
前記遊星軸が雄ねじを有する遊星軸本体を含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記遊星軸本体を前記基準姿勢に保持した状態で該第１集合体を組み立てる第１工程」
「前記円環軸、前記太陽軸及び前記遊星軸よりも低い融点を有するとともに一方の要素に対する他方の要素の姿勢を固定することができる固定剤を準備した後、前記第１集合体における前記太陽軸本体の雄ねじ及び前記遊星軸本体の雄ねじの少なくとも一方に該固定剤を塗布する第２工程」
「前記第１集合体と前記円環軸本体との組み合わせにより構成される集合体を第２集合体として、前記第２工程を経た後に該第２集合体を組み立てる第３工程」
ことを特徴とする回転直線運動変換機構の製造方法。
【請求項３】
請求項１または２に記載の回転直線運動変換機構の製造方法において、
前記円環軸が前記円環軸本体と内歯の円環歯車とを含めて構成されること、
前記太陽軸が前記太陽軸本体と外歯の太陽歯車とを含めて構成されること、
前記遊星軸が前記遊星軸本体と外歯の遊星歯車とを含めて構成されること、
前記円環歯車として、前記円環軸本体の一方の端部に設けられる第１円環歯車と前記円環軸本体の他方の端部に設けられる第２円環歯車とを備えること、
前記太陽歯車として、前記太陽軸本体の一方の端部に設けられる第１太陽歯車と前記太陽軸本体の他方の端部に設けられる第２太陽歯車とを備えること、
前記遊星歯車として、前記遊星軸本体の一方の端部に設けられる第１遊星歯車と前記遊星軸本体の他方の端部に設けられる第２遊星歯車とを備えること、
前記第１円環歯車が前記円環軸本体とは各別に形成されること、
前記第２太陽歯車が前記太陽軸本体とは各別に形成されること、
前記第２遊星歯車が前記遊星軸本体とは各別に形成されること、
前記第１円環歯車と前記第１遊星歯車とが噛み合うこと、
前記第２円環歯車と前記第２遊星歯車とが噛み合うこと、
前記第１太陽歯車と前記第１遊星歯車とが噛み合うこと、
前記第２太陽歯車と前記第２遊星歯車とが噛み合うこと
を要件として構成される前記回転直線運動変換機構について、
次の工程を含めてその製造を行う
「前記第２集合体と前記第２遊星歯車との組み合わせにより構成される集合体を第３集合体として、前記固定剤を通じて前記太陽軸本体に対する前記遊星軸本体の姿勢が固定された状態で該第３集合体を組み立てる第４工程」
ことを特徴とする回転直線運動変換機構の製造方法。
【請求項４】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体を含めて構成されること、
前記太陽軸が雄ねじを有する太陽軸本体を含めて構成されること、
前記遊星軸が雄ねじを有する遊星軸本体を含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記円環軸、前記太陽軸及び前記遊星軸よりも低い融点を有するとともに一方の要素に対する他方の要素の姿勢を固定することができる固定剤を準備した後、前記円環軸本体の雌ねじ及び前記遊星軸本体の雄ねじの少なくとも一方に該固定剤を塗布する第１工程」
「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記第１工程を経た後に前記遊星軸本体を前記基準姿勢に保持した状態で該第１集合体を組み立てる第２工程」
「前記第１集合体と前記太陽軸本体との組み合わせにより構成される集合体を第２集合体として、該第２集合体を組み立てる第３工程」
ことを特徴とする回転直線運動変換機構の製造方法。
【請求項５】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体を含めて構成されること、
前記太陽軸が雄ねじを有する太陽軸本体を含めて構成されること、
前記遊星軸が雄ねじを有する遊星軸本体を含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記遊星軸本体を前記基準姿勢に保持した状態で該第１集合体を組み立てる第１工程」
「前記円環軸、前記太陽軸及び前記遊星軸よりも低い融点を有するとともに一方の要素に対する他方の要素の姿勢を固定することができる固定剤を準備した後、前記第１集合体における前記円環軸本体の雌ねじ及び前記遊星軸本体の雄ねじの少なくとも一方に該固定剤を塗布する第２工程」
「前記第１集合体と前記太陽軸本体との組み合わせにより構成される集合体を第２集合体として、前記第２工程を経た後に該第２集合体を組み立てる第３工程」
ことを特徴とする回転直線運動変換機構の製造方法。
【請求項６】
請求項４または５に記載の回転直線運動変換機構の製造方法において、
前記円環軸が前記円環軸本体と内歯の円環歯車とを含めて構成されること、
前記太陽軸が前記太陽軸本体と外歯の太陽歯車とを含めて構成されること、
前記遊星軸が前記遊星軸本体と外歯の遊星歯車とを含めて構成されること、
前記円環歯車として、前記円環軸本体の一方の端部に設けられる第１円環歯車と前記円環軸本体の他方の端部に設けられる第２円環歯車とを備えること、
前記太陽歯車として、前記太陽軸本体の一方の端部に設けられる第１太陽歯車と前記太陽軸本体の他方の端部に設けられる第２太陽歯車とを備えること、
前記遊星歯車として、前記遊星軸本体の一方の端部に設けられる第１遊星歯車と前記遊星軸本体の他方の端部に設けられる第２遊星歯車とを備えること、
前記第１円環歯車が前記円環軸本体とは各別に形成されること、
前記第２太陽歯車が前記太陽軸本体とは各別に形成されること、
前記第２遊星歯車が前記遊星軸本体とは各別に形成されること、
前記第１円環歯車と前記第１遊星歯車とが噛み合うこと、
前記第２円環歯車と前記第２遊星歯車とが噛み合うこと、
前記第１太陽歯車と前記第１遊星歯車とが噛み合うこと、
前記第２太陽歯車と前記第２遊星歯車とが噛み合うこと
を要件として構成される前記回転直線運動変換機構について、
次の工程を含めてその製造を行う
「前記第２集合体と前記第２遊星歯車との組み合わせにより構成される集合体を第３集合体として、前記固定剤を通じて前記円環軸本体に対する記遊星軸本体の姿勢が固定された状態で該第３集合体を組み立てる第４工程」
ことを特徴とする回転直線運動変換機構の製造方法。
【請求項７】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体と内歯の円環歯車とを含めて構成されること、
前記太陽軸が雄ねじを有する太陽軸本体と外歯の太陽歯車とを含めて構成されること、
前記遊星軸が雄ねじを有する遊星軸本体と外歯の遊星歯車とを含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
前記円環歯車と前記遊星歯車とが噛み合うこと、
前記太陽歯車と前記遊星歯車とが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記円環軸、前記太陽軸及び前記遊星軸よりも低い融点を有するとともに一方の要素に対する他方の要素の姿勢を固定することができる固定剤を準備した後、前記太陽軸本体の雄ねじ、前記遊星軸本体の雄ねじ、前記太陽歯車及び前記遊星歯車の少なくとも一つに該固定剤を塗布する第１工程」
「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記第１工程を経た後に前記遊星軸本体を前記基準姿勢に保持した状態で該第１集合体を組み立てる第２工程」
「前記第１集合体と前記円環軸本体との組み合わせにより構成される集合体を第２集合体として、該第２集合体を組み立てる第３工程」
ことを特徴とする回転直線運動変換機構の製造方法。
【請求項８】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体と内歯の円環歯車とを含めて構成されること、
前記太陽軸が雄ねじを有する太陽軸本体と外歯の太陽歯車とを含めて構成されること、
前記遊星軸が雄ねじを有する遊星軸本体と外歯の遊星歯車とを含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
前記円環歯車と前記遊星歯車とが噛み合うこと、
前記太陽歯車と前記遊星歯車とが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記遊星軸本体を前記基準姿勢に保持した状態で該第１集合体を組み立てる第１工程」
「前記円環軸、前記太陽軸及び前記遊星軸よりも低い融点を有するとともに一方の要素に対する他方の要素の姿勢を固定することができる固定剤を準備した後に前記第１集合体における前記太陽軸本体の雄ねじ及び前記遊星軸本体の雄ねじの少なくとも一方に該固定剤を塗布する工程と、前記固定剤を準備した後に前記第１集合体における前記太陽歯車及び前記遊星歯車の少なくとも一方に前記固定剤を塗布する工程との少なくとも一方を含む第２工程」
「前記第１集合体と前記円環軸本体との組み合わせにより構成される集合体を第２集合体として、前記第２工程を経た後に該第２集合体を組み立てる第３工程」
ことを特徴とする回転直線運動変換機構の製造方法。
【請求項９】
請求項７または８に記載の回転直線運動変換機構の製造方法において、
前記遊星歯車として、前記遊星軸本体とは各別に形成された付属歯車を備えること
を要件として構成される前記回転直線運動変換機構について、
次の工程を含めてその製造を行う
「前記第２集合体と前記付属歯車との組み合わせにより構成される集合体を第３集合体として、前記固定剤を通じて前記太陽軸本体に対する前記遊星軸本体の姿勢が固定された状態で該第３集合体を組み立てる第４工程」
ことを特徴とする回転直線運動変換機構の製造方法。
【請求項１０】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体と内歯の円環歯車とを含めて構成されること、
前記太陽軸が雄ねじを有する太陽軸本体と外歯の太陽歯車とを含めて構成されること、
前記遊星軸が雄ねじを有する遊星軸本体と外歯の遊星歯車とを含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
前記円環歯車と前記遊星歯車とが噛み合うこと、
前記太陽歯車と前記遊星歯車とが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記円環軸、前記太陽軸及び前記遊星軸よりも低い融点を有するとともに一方の要素に対する他方の要素の姿勢を固定することができる固定剤を準備した後、前記円環軸本体の雌ねじ、前記遊星軸本体の雄ねじ、前記円環歯車及び前記遊星歯車の少なくとも一つに該固定剤を塗布する第１工程」
「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記第１工程を経た後に前記遊星軸本体を前記基準姿勢に保持した状態で該第１集合体を組み立てる第２工程」
「前記第１集合体と前記太陽軸本体との組み合わせにより構成される集合体を第２集合体として、該第２集合体を組み立てる第３工程」
ことを特徴とする回転直線運動変換機構の製造方法。
【請求項１１】
軸方向へ延びる空間を内部に有する円環軸と該円環軸の内部に配置される太陽軸と該太陽軸の周囲に配置される複数の遊星軸とを備えること、
前記円環軸が雌ねじを有する円環軸本体と内歯の円環歯車とを含めて構成されること、
前記太陽軸が雄ねじを有する太陽軸本体と外歯の太陽歯車とを含めて構成されること、
前記遊星軸が雄ねじを有する遊星軸本体と外歯の遊星歯車とを含めて構成されること、
前記円環軸本体の雌ねじと前記遊星軸本体の雄ねじとが噛み合うこと、
前記太陽軸本体の雄ねじと前記遊星軸本体の雄ねじとが噛み合うこと、
前記円環歯車と前記遊星歯車とが噛み合うこと、
前記太陽歯車と前記遊星歯車とが噛み合うこと、
並びに、前記円環軸及び前記太陽軸の一方の回転運動にともなう前記遊星軸の遊星運動を通じて前記円環軸及び前記太陽軸の他方が直線運動すること
を要件として構成される回転直線運動変換機構について、
次の各工程を含めてその製造を行う
「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記遊星軸本体を前記基準姿勢に保持した状態で該第１集合体を組み立てる第１工程」
「前記円環軸、前記太陽軸及び前記遊星軸よりも低い融点を有するとともに一方の要素に対する他方の要素の姿勢を固定することができる固定剤を準備した後に前記第１集合体における前記円環軸本体の雌ねじ及び前記遊星軸本体の雄ねじの少なくとも一方に該固定剤を塗布する工程と、前記固定剤を準備した後に前記第１集合体における前記円環歯車及び前記遊星歯車の少なくとも一方に前記固定剤を塗布する工程との少なくとも一方を含む第２工程」
「前記第１集合体と前記太陽軸本体との組み合わせにより構成される集合体を第２集合体として、前記第２工程を経た後に該第２集合体を組み立てる第３工程」
ことを特徴とする回転直線運動変換機構の製造方法。
【請求項１２】
請求項１０または１１に記載の回転直線運動変換機構の製造方法において、
前記遊星歯車として、前記遊星軸本体とは各別に形成された付属歯車を備えること
を要件として構成される前記回転直線運動変換機構について、
次の工程を含めてその製造を行う
「前記第２集合体と前記付属歯車との組み合わせにより構成される集合体を第３集合体として、前記固定剤を通じて前記円環軸本体に対する前記遊星軸本体の姿勢が固定された状態で該第３集合体を組み立てる第４工程」
ことを特徴とする回転直線運動変換機構の製造方法。
【請求項１３】
請求項１、２、４、５、７、８、１０または１１に記載の回転直線運動変換機構の製造方法において、
次の工程を含めて前記回転直線運動変換機構の組み立てを行う
「前記第２集合体を加熱することにより前記固定剤を溶融させる第５工程」
ことを特徴とする回転直線運動変換機構の製造方法。
【請求項１４】
請求項３、６、９または１２に記載の回転直線運動変換機構の製造方法において、
次の工程を含めて前記回転直線運動変換機構の組み立てを行う
「前記第３集合体を加熱することにより前記固定剤を溶融させる第６工程」
ことを特徴とする回転直線運動変換機構の製造方法。
【請求項１５】
請求項１〜１４のいずれか一項に記載の回転直線運動変換機構の製造方法において、
当該回転直線運動変換機構に対して要求される機械的性質を要求性質とし、当該回転直線運動変換機構の組立過程における構成要素の集合体を特定集合体とし、該特定集合体を加熱しても該特定集合体の機械的性質が前記要求性質に維持される温度領域を基準温度領域とし、該基準温度領域に属する温度のうちで最も高い温度を基準温度として、前記固定剤は該基準温度未満の融点を有するものである
ことを特徴とする回転直線運動変換機構の製造方法。
【請求項１６】
請求項１〜１４のいずれか一項に記載の回転直線運動変換機構の製造方法において、
当該回転直線運動変換機構の組立過程における構成要素の集合体を特定集合体とし、該特定集合体を加熱しても該特定集合体が焼鈍されない温度領域を基準温度領域とし、該基準温度領域に属する温度のうちで最も高い温度を基準温度として、前記固定剤は該基準温度未満の融点を有するものである
ことを特徴とする回転直線運動変換機構の製造方法。
【請求項１７】
請求項１５または１６に記載の回転直線運動変換機構の製造方法において、
前記特定集合体を加熱して前記固定剤を溶融させる際に前記特定集合体を前記固定剤の融点以上かつ前記基準温度未満の温度まで加熱する
ことを特徴とする回転直線運動変換機構の製造方法。
【発明の詳細な説明】
【技術分野】
【０００１】
本発明は、回転運動を直線運動に変換する回転直線運動変換機構の製造方法に関する。
【背景技術】
【０００２】
回転直線運動変換機構としては、例えば特許文献１に記載されたものが知られている。
この回転直線運動変換機構は、軸方向へ延びる空間を内部に有する円環軸と円環軸の内部に配置される太陽軸と太陽軸の周囲に配置される複数の遊星軸との組み合わせにより構成されている。また、円環軸の雌ねじ及び太陽軸の雄ねじと遊星軸の雄ねじとがそれぞれ噛み合わされている。こうした構造の回転直線運動変換機構においては、円環軸を回転運動させたとき、円環軸から伝達された力を通じて遊星軸が太陽軸のまわりで遊星運動することにより、太陽軸が直線運動するようになる。すなわち、円環軸の回転運動を太陽軸の直線運動に変換することが可能となっている。
【特許文献１】特開平１０−１９６７５７号公報
【発明の開示】
【発明が解決しようとする課題】
【０００３】
ところで、回転直線運動変換機構の製造過程においては、円環軸と太陽軸との間で遊星軸が基準姿勢（遊星軸の中心線が太陽軸の中心線に対して平行となる姿勢）に対して傾いた状態となることが本願発明者により確認されている。このように遊星軸が傾く理由は次のように考えられる。
【０００４】
回転直線運動変換機構においては、各構成要素のねじの条数が異なる値に設定されるため、円環軸の雌ねじ及び太陽軸の雄ねじと各遊星軸の雄ねじとが噛み合わされたときにこれらねじの間にバックラッシが形成される。また、このバックラッシの大きさは各ねじの条数の設定態様に応じて異なる。こうしたことから、回転直線運動変換機構の製造過程において、各構成要素の組み合わせにともない遊星軸に力が加えられたとき、遊星軸が上記バックラッシをうめる方向へ動かされることにより遊星軸が傾いた状態で回転直線運動変換機構が組み立てられることもある。
【０００５】
例えば、回転直線運動変換機構の製造に際して太陽軸と遊星軸とが組み合わされた集合体に対して円環軸を組み付ける場合、円環軸の雌ねじを遊星軸の雄ねじに噛み合わせるときに円環軸から遊星軸に力が加えられるため、上述のように遊星軸の傾きが生じるようになる。
【０００６】
回転直線運動変換機構において遊星軸が基準姿勢に対して傾いているとき、各構成要素のねじの噛み合いが不均一となるため、局部的にねじの摩耗が促進することにより寿命の低下をまねくようになる。また、各構成要素の間におけるフリクションが増大するため、回転運動から直線運動への変換効率の低下をまねくようにもなる。
【０００７】
そこで、上述のような回転直線運動変換機構の製造にともなう遊星軸の傾きを抑制するために、例えば、太陽軸と遊星軸とが組み合わされた集合体について、遊星軸の両端にリテーナを取り付けることにより遊星軸の姿勢を拘束することも考えられる。ちなみに、特許文献１にはリテーナを有する構造の回転直線運動変換機構が開示されているため、その製造に際してもリテーナにより遊星軸の姿勢が拘束されると考えられる。
【０００８】
しかし、こうした製造方法においては、上記集合体に対する円環軸のねじ込みにともない各リテーナの位相がずれることもあるため、遊星軸の傾きが十分に抑制されるとは言い難い。そこで、位相のずれを抑制するために複数の軸を通じて２つのリテーナを互いに連結することも考えられるが、この場合には各遊星軸の間にリテーナを連結する軸が配置されるため、回転直線運動変換機構の構造によっては必要とされる数の軸を各リテーナに取り付けることができないこともある。すなわち、遊星軸の傾きを十分に抑制することが困難となる。
【０００９】
本発明は、このような実情に鑑みてなされたものであり、その目的は、回転直線運動変換機構のより多様な構造に対応して遊星軸の傾きを抑制することのできる回転直線運動変換機構の製造方法を提供することにある。
【課題を解決するための手段】
【００１０】
以下、上記目的を達成するための手段及びその作用効果について記載する。
（１）請求項１に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体を含めて構成されること、前記太陽軸が雄ねじを有する太陽軸本体を含めて構成されること、前記遊星軸が雄ねじを有する遊星軸本体を含めて構成されること、前記円環軸本体の雌ねじと前記遊星軸本体の雄ねじとが噛み合うこと、前記太陽軸本体の雄ねじと前記遊星軸本体の雄ねじとが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記円環軸、前記太陽軸及び前記遊星軸よりも低い融点を有するとともに一方の要素に対する他方の要素の姿勢を固定することができる固定剤を準備した後、前記太陽軸本体の雄ねじ及び前記遊星軸本体の雄ねじの少なくとも一方に該固定剤を塗布する第１工程」、「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記第１工程を経た後に前記遊星軸本体を前記基準姿勢に保持した状態で該第１集合体を組み立てる第２工程」及び「前記第１集合体と前記円環軸本体との組み合わせにより構成される集合体を第２集合体として、該第２集合体を組み立てる第３工程」を含めてその製造を行うことを要旨としている。
【００１１】
（２）請求項２に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体を含めて構成されること、前記太陽軸が雄ねじを有する太陽軸本体を含めて構成されること、前記遊星軸が雄ねじを有する遊星軸本体を含めて構成されること、前記円環軸本体の雌ねじと前記遊星軸本体の雄ねじとが噛み合うこと、前記太陽軸本体の雄ねじと前記遊星軸本体の雄ねじとが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記遊星軸本体を前記基準姿勢に保持した状態で該第１集合体を組み立てる第１工程」、「前記円環軸、前記太陽軸及び前記遊星軸よりも低い融点を有するとともに一方の要素に対する他方の要素の姿勢を固定することができる固定剤を準備した後、前記第１集合体における前記太陽軸本体の雄ねじ及び前記遊星軸本体の雄ねじの少なくとも一方に該固定剤を塗布する第２工程」及び「前記第１集合体と前記円環軸本体との組み合わせにより構成される集合体を第２集合体として、前記第２工程を経た後に該第２集合体を組み立てる第３工程」を含めてその製造を行うことを要旨としている。
【００１２】
上記請求項１及び２の発明では、固定剤（接着剤など）により各遊星軸本体を太陽軸本体に固定した状態で第２集合体を組み立てるようにしている。これにより、円環軸本体を第１集合体に組み付けるときに各遊星軸本体が一定の姿勢（基準姿勢）に保持されるため、遊星軸が傾いた状態で回転直線運動変換機構が組み立てられることを抑制することができるようになる。また、固定剤を通じて遊星軸本体の姿勢を拘束するようにしているため、上述したリテーナを使用する製造方法とは異なり、回転直線運動変換機構に配置される遊星軸の数にかかわらず遊星軸の傾きを抑制することが可能となる。このように、本発明の製造方法によれば、回転直線運動変換機構のより多様な構造に対応して遊星軸の傾きを抑制することができるようになる。
【００１３】
（３）請求項３に記載の発明は、請求項１または２に記載の回転直線運動変換機構の製造方法において、前記円環軸が前記円環軸本体と内歯の円環歯車とを含めて構成されること、前記太陽軸が前記太陽軸本体と外歯の太陽歯車とを含めて構成されること、前記遊星軸が前記遊星軸本体と外歯の遊星歯車とを含めて構成されること、前記円環歯車として、前記円環軸本体の一方の端部に設けられる第１円環歯車と前記円環軸本体の他方の端部に設けられる第２円環歯車とを備えること、前記太陽歯車として、前記太陽軸本体の一方の端部に設けられる第１太陽歯車と前記太陽軸本体の他方の端部に設けられる第２太陽歯車とを備えること、前記遊星歯車として、前記遊星軸本体の一方の端部に設けられる第１遊星歯車と前記遊星軸本体の他方の端部に設けられる第２遊星歯車とを備えること、前記第１円環歯車が前記円環軸本体とは各別に形成されること、前記第２太陽歯車が前記太陽軸本体とは各別に形成されること、前記第２遊星歯車が前記遊星軸本体とは各別に形成されること、前記第１円環歯車と前記第１遊星歯車とが噛み合うこと、前記第２円環歯車と前記第２遊星歯車とが噛み合うこと、前記第１太陽歯車と前記第１遊星歯車とが噛み合うこと、前記第２太陽歯車と前記第２遊星歯車とが噛み合うことを要件として構成される前記回転直線運動変換機構について、次の工程、すなわち「前記第２集合体と前記第２遊星歯車との組み合わせにより構成される集合体を第３集合体として、前記固定剤を通じて前記太陽軸本体に対する前記遊星軸本体の姿勢が固定された状態で該第３集合体を組み立てる第４工程」を含めてその製造を行うことを要旨としている。
【００１４】
回転直線運動変換機構の製造過程において、第２集合体の遊星軸本体が基準姿勢に対して過度に傾いている場合、第２遊星歯車を遊星軸本体に組み付けることができなくなる。こうした事態が生じた場合には、組み付け作業が一時的に中断されるため、生産性の低下をまねくようになる。この点、上記発明では遊星軸本体が基準姿勢に保持された状態で第２集合体と第２遊星歯車との組み合わせを行うようにしているため、第２遊星歯車が的確に第２集合体に組み付けられるようになる。これにより、生産性の低下をまねくことを抑制することができるようになる。
【００１５】
（４）請求項４に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体を含めて構成されること、前記太陽軸が雄ねじを有する太陽軸本体を含めて構成されること、前記遊星軸が雄ねじを有する遊星軸本体を含めて構成されること、前記円環軸本体の雌ねじと前記遊星軸本体の雄ねじとが噛み合うこと、前記太陽軸本体の雄ねじと前記遊星軸本体の雄ねじとが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記円環軸、前記太陽軸及び前記遊星軸よりも低い融点を有するとともに一方の要素に対する他方の要素の姿勢を固定することができる固定剤を準備した後、前記円環軸本体の雌ねじ及び前記遊星軸本体の雄ねじの少なくとも一方に該固定剤を塗布する第１工程」、「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記第１工程を経た後に前記遊星軸本体を前記基準姿勢に保持した状態で該第１集合体を組み立てる第２工程」及び「前記第１集合体と前記太陽軸本体との組み合わせにより構成される集合体を第２集合体として、該第２集合体を組み立てる第３工程」を含めてその製造を行うことを要旨としている。
【００１６】
（５）請求項５に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体を含めて構成されること、前記太陽軸が雄ねじを有する太陽軸本体を含めて構成されること、前記遊星軸が雄ねじを有する遊星軸本体を含めて構成されること、前記円環軸本体の雌ねじと前記遊星軸本体の雄ねじとが噛み合うこと、前記太陽軸本体の雄ねじと前記遊星軸本体の雄ねじとが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記遊星軸本体を前記基準姿勢に保持した状態で該第１集合体を組み立てる第１工程」、「前記円環軸、前記太陽軸及び前記遊星軸よりも低い融点を有するとともに一方の要素に対する他方の要素の姿勢を固定することができる固定剤を準備した後、前記第１集合体における前記円環軸本体の雌ねじ及び前記遊星軸本体の雄ねじの少なくとも一方に該固定剤を塗布する第２工程」及び「前記第１集合体と前記太陽軸本体との組み合わせにより構成される集合体を第２集合体として、前記第２工程を経た後に該第２集合体を組み立てる第３工程」を含めてその製造を行うことを要旨としている。
【００１７】
上記請求項４及び５の発明では、固定剤（接着剤など）により各遊星軸本体を円環軸本体に固定した状態で第２集合体を組み立てるようにしている。これにより、太陽軸本体を第１集合体に組み付けるときに各遊星軸本体が一定の姿勢（基準姿勢）に保持されるため、遊星軸が傾いた状態で回転直線運動変換機構が組み立てられることを抑制することができるようになる。また、固定剤を通じて遊星軸本体の姿勢を拘束するようにしているため、上述したリテーナを使用する製造方法とは異なり、回転直線運動変換機構に配置される遊星軸の数にかかわらず遊星軸の傾きを抑制することが可能となる。このように、本発明の製造方法によれば、回転直線運動変換機構のより多様な構造に対応して遊星軸の傾きを抑制することができるようになる。
【００１８】
（６）請求項６に記載の発明は、請求項４または５に記載の回転直線運動変換機構の製造方法において、前記円環軸が前記円環軸本体と内歯の円環歯車とを含めて構成されること、前記太陽軸が前記太陽軸本体と外歯の太陽歯車とを含めて構成されること、前記遊星軸が前記遊星軸本体と外歯の遊星歯車とを含めて構成されること、前記円環歯車として、前記円環軸本体の一方の端部に設けられる第１円環歯車と前記円環軸本体の他方の端部に設けられる第２円環歯車とを備えること、前記太陽歯車として、前記太陽軸本体の一方の端部に設けられる第１太陽歯車と前記太陽軸本体の他方の端部に設けられる第２太陽歯車とを備えること、前記遊星歯車として、前記遊星軸本体の一方の端部に設けられる第１遊星歯車と前記遊星軸本体の他方の端部に設けられる第２遊星歯車とを備えること、前記第１円環歯車が前記円環軸本体とは各別に形成されること、前記第２太陽歯車が前記太陽軸本体とは各別に形成されること、前記第２遊星歯車が前記遊星軸本体とは各別に形成されること、前記第１円環歯車と前記第１遊星歯車とが噛み合うこと、前記第２円環歯車と前記第２遊星歯車とが噛み合うこと、前記第１太陽歯車と前記第１遊星歯車とが噛み合うこと、前記第２太陽歯車と前記第２遊星歯車とが噛み合うことを要件として構成される前記回転直線運動変換機構について、次の工程、すなわち「前記第２集合体と前記第２遊星歯車との組み合わせにより構成される集合体を第３集合体として、前記固定剤を通じて前記円環軸本体に対する記遊星軸本体の姿勢が固定された状態で該第３集合体を組み立てる第４工程」を含めてその製造を行うことを要旨としている。
【００１９】
回転直線運動変換機構の製造過程において、第２集合体の遊星軸本体が基準姿勢に対して過度に傾いている場合、第２遊星歯車を遊星軸本体に組み付けることができなくなる。こうした事態が生じた場合には、組み付け作業が一時的に中断されるため、生産性の低下をまねくようになる。この点、上記発明では遊星軸本体が基準姿勢に保持された状態で第２集合体と第２遊星歯車との組み合わせを行うようにしているため、第２遊星歯車が的確に第２集合体に組み付けられるようになる。これにより、生産性の低下をまねくことを抑制することができるようになる。
【００２０】
（７）請求項７に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体と内歯の円環歯車とを含めて構成されること、前記太陽軸が雄ねじを有する太陽軸本体と外歯の太陽歯車とを含めて構成されること、前記遊星軸が雄ねじを有する遊星軸本体と外歯の遊星歯車とを含めて構成されること、前記円環軸本体の雌ねじと前記遊星軸本体の雄ねじとが噛み合うこと、前記太陽軸本体の雄ねじと前記遊星軸本体の雄ねじとが噛み合うこと、前記円環歯車と前記遊星歯車とが噛み合うこと、前記太陽歯車と前記遊星歯車とが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記円環軸、前記太陽軸及び前記遊星軸よりも低い融点を有するとともに一方の要素に対する他方の要素の姿勢を固定することができる固定剤を準備した後、前記太陽軸本体の雄ねじ、前記遊星軸本体の雄ねじ、前記太陽歯車及び前記遊星歯車の少なくとも一つに該固定剤を塗布する第１工程」、「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記第１工程を経た後に前記遊星軸本体を前記基準姿勢に保持した状態で該第１集合体を組み立てる第２工程」及び「前記第１集合体と前記円環軸本体との組み合わせにより構成される集合体を第２集合体として、該第２集合体を組み立てる第３工程」を含めてその製造を行うことを要旨としている。
【００２１】
（８）請求項８に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体と内歯の円環歯車とを含めて構成されること、前記太陽軸が雄ねじを有する太陽軸本体と外歯の太陽歯車とを含めて構成されること、前記遊星軸が雄ねじを有する遊星軸本体と外歯の遊星歯車とを含めて構成されること、前記円環軸本体の雌ねじと前記遊星軸本体の雄ねじとが噛み合うこと、前記太陽軸本体の雄ねじと前記遊星軸本体の雄ねじとが噛み合うこと、前記円環歯車と前記遊星歯車とが噛み合うこと、前記太陽歯車と前記遊星歯車とが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記遊星軸本体の中心線が前記太陽軸本体の中心線に対して平行となる前記遊星軸本体の姿勢を基準姿勢とし、前記太陽軸本体と前記遊星軸本体との組み合わせにより構成される集合体を第１集合体として、前記遊星軸本体を前記基準姿勢に保持した状態で該第１集合体を組み立てる第１工程」、「前記円環軸、前記太陽軸及び前記遊星軸よりも低い融点を有するとともに一方の要素に対する他方の要素の姿勢を固定することができる固定剤を準備した後に前記第１集合体における前記太陽軸本体の雄ねじ及び前記遊星軸本体の雄ねじの少なくとも一方に該固定剤を塗布する工程と、前記固定剤を準備した後に前記第１集合体における前記太陽歯車及び前記遊星歯車の少なくとも一方に前記固定剤を塗布する工程との少なくとも一方を含む第２工程」及び「前記第１集合体と前記円環軸本体との組み合わせにより構成される集合体を第２集合体として、前記第２工程を経た後に該第２集合体を組み立てる第３工程」を含めてその製造を行うことを要旨としている。
【００２２】
上記請求項７及び８の発明では、固定剤（接着剤など）により各遊星軸本体を太陽軸本体に固定した状態で第２集合体を組み立てるようにしている。これにより、円環軸本体を第１集合体に組み付けるときに各遊星軸本体が一定の姿勢（基準姿勢）に保持されるため、遊星軸が傾いた状態で回転直線運動変換機構が組み立てられることを抑制することができるようになる。また、固定剤を通じて遊星軸本体の姿勢を拘束するようにしているため、上述したリテーナを使用する製造方法とは異なり、回転直線運動変換機構に配置される遊星軸の数にかかわらず遊星軸の傾きを抑制することが可能となる。このように、本発明の製造方法によれば、回転直線運動変換機構のより多様な構造に対応して遊星軸の傾きを抑制することができるようになる。
【００２３】
（９）請求項９に記載の発明は、請求項７または８に記載の回転直線運動変換機構の製造方法において、前記遊星歯車として、前記遊星軸本体とは各別に形成された付属歯車を備えることを要件として構成される前記回転直線運動変換機構について、次の工程、すなわち「前記第２集合体と前記付属歯車との組み合わせにより構成される集合体を第３集合体として、前記固定剤を通じて前記太陽軸本体に対する前記遊星軸本体の姿勢が固定された状態で該第３集合体を組み立てる第４工程」を含めてその製造を行うことを要旨としている。
【００２４】
回転直線運動変換機構の製造過程において、第２集合体の遊星軸本体が基準姿勢に対して過度に傾いている場合、第２遊星歯車を遊星軸本体に組み付けることができなくなる。こうした事態が生じた場合には、組み付け作業が一時的に中断されるため、生産性の低下をまねくようになる。この点、上記発明では遊星軸本体が基準姿勢に保持された状態で第２集合体と第２遊星歯車との組み合わせを行うようにしているため、第２遊星歯車が的確に第２集合体に組み付けられるようになる。これにより、生産性の低下をまねくことを抑制することができるようになる。
【００２５】
（１０）請求項１０に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体と内歯の円環歯車とを含めて構成されること、前記太陽軸が雄ねじを有する太陽軸本体と外歯の太陽歯車とを含めて構成されること、前記遊星軸が雄ねじを有する遊星軸本体と外歯の遊星歯車とを含めて構成されること、前記円環軸本体の雌ねじと前記遊星軸本体の雄ねじとが噛み合うこと、前記太陽軸本体の雄ねじと前記遊星軸本体の雄ねじとが噛み合うこと、前記円環歯車と前記遊星歯車とが噛み合うこと、前記太陽歯車と前記遊星歯車とが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記円環軸、前記太陽軸及び前記遊星軸よりも低い融点を有するとともに一方の要素に対する他方の要素の姿勢を固定することができる固定剤を準備した後、前記円環軸本体の雌ねじ、前記遊星軸本体の雄ねじ、前記円環歯車及び前記遊星歯車の少なくとも一つに該固定剤を塗布する第１工程」、「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記第１工程を経た後に前記遊星軸本体を前記基準姿勢に保持した状態で該第１集合体を組み立てる第２工程」及び「前記第１集合体と前記太陽軸本体との組み合わせにより構成される集合体を第２集合体として、該第２集合体を組み立てる第３工程」を含めてその製造を行うことを要旨としている。
【００２６】
（１１）請求項１１に記載の発明は、軸方向へ延びる空間を内部に有する円環軸と該円環軸の内部に配置される太陽軸と該太陽軸の周囲に配置される複数の遊星軸とを備えること、前記円環軸が雌ねじを有する円環軸本体と内歯の円環歯車とを含めて構成されること、前記太陽軸が雄ねじを有する太陽軸本体と外歯の太陽歯車とを含めて構成されること、前記遊星軸が雄ねじを有する遊星軸本体と外歯の遊星歯車とを含めて構成されること、前記円環軸本体の雌ねじと前記遊星軸本体の雄ねじとが噛み合うこと、前記太陽軸本体の雄ねじと前記遊星軸本体の雄ねじとが噛み合うこと、前記円環歯車と前記遊星歯車とが噛み合うこと、前記太陽歯車と前記遊星歯車とが噛み合うこと、並びに、前記円環軸及び前記太陽軸の一方の回転運動にともなう前記遊星軸の遊星運動を通じて前記円環軸及び前記太陽軸の他方が直線運動することを要件として構成される回転直線運動変換機構について、次の各工程、すなわち「前記遊星軸本体の中心線が前記円環軸本体の中心線に対して平行となる前記遊星軸本体の姿勢を基準姿勢とし、前記円環軸本体と前記遊星軸本体との組み合わせにより構成される集合体を第１集合体として、前記遊星軸本体を前記基準姿勢に保持した状態で該第１集合体を組み立てる第１工程」、「前記円環軸、前記太陽軸及び前記遊星軸よりも低い融点を有するとともに一方の要素に対する他方の要素の姿勢を固定することができる固定剤を準備した後に前記第１集合体における前記円環軸本体の雌ねじ及び前記遊星軸本体の雄ねじの少なくとも一方に該固定剤を塗布する工程と、前記固定剤を準備した後に前記第１集合体における前記円環歯車及び前記遊星歯車の少なくとも一方に前記固定剤を塗布する工程との少なくとも一方を含む第２工程」及び「前記第１集合体と前記太陽軸本体との組み合わせにより構成される集合体を第２集合体として、前記第２工程を経た後に該第２集合体を組み立てる第３工程」を含めてその製造を行うことを要旨としている。
【００２７】
上記請求項１１及び１２の発明では、固定剤（接着剤など）により各遊星軸本体を円環軸本体に固定した状態で第２集合体を組み立てるようにしている。これにより、太陽軸本体を第１集合体に組み付けるときに各遊星軸本体が一定の姿勢（基準姿勢）に保持されるため、遊星軸が傾いた状態で回転直線運動変換機構が組み立てられることを抑制することができるようになる。また、固定剤を通じて遊星軸本体の姿勢を拘束するようにしているため、上述したリテーナを使用する製造方法とは異なり、回転直線運動変換機構に配置される遊星軸の数にかかわらず遊星軸の傾きを抑制することが可能となる。このように、本発明の製造方法によれば、回転直線運動変換機構のより多様な構造に対応して遊星軸の傾きを抑制することができるようになる。
【００２８】
（１２）請求項１２に記載の発明は、請求項１０または１１に記載の回転直線運動変換機構の製造方法において、前記遊星歯車として、前記遊星軸本体とは各別に形成された付属歯車を備えることを要件として構成される前記回転直線運動変換機構について、次の工程、すなわち「前記第２集合体と前記付属歯車との組み合わせにより構成される集合体を第３集合体として、前記固定剤を通じて前記円環軸本体に対する前記遊星軸本体の姿勢が固定された状態で該第３集合体を組み立てる第４工程」を含めてその製造を行うことを要旨としている。
【００２９】
回転直線運動変換機構の製造過程において、第２集合体の遊星軸本体が基準姿勢に対して過度に傾いている場合、第２遊星歯車を遊星軸本体に組み付けることができなくなる。こうした事態が生じた場合には、組み付け作業が一時的に中断されるため、生産性の低下をまねくようになる。この点、上記発明では遊星軸本体が基準姿勢に保持された状態で第２集合体と第２遊星歯車との組み合わせを行うようにしているため、第２遊星歯車が的確に第２集合体に組み付けられるようになる。これにより、生産性の低下をまねくことを抑制することができるようになる。
【００３０】
（１３）請求項１３に記載の発明は、請求項１、２、４、５、７、８、１０または１１に記載の回転直線運動変換機構の製造方法において、次の工程、すなわち「前記第２集合体を加熱することにより前記固定剤を溶融させる第５工程」を含めて前記回転直線運動変換機構の組み立てを行うことを要旨としている。
【００３１】
（１４）請求項１４に記載の発明は、請求項３、６、９または１２に記載の回転直線運動変換機構の製造方法において、次の工程、すなわち「前記第３集合体を加熱することにより前記固定剤を溶融させる第６工程」を含めて前記回転直線運動変換機構の組み立てを行うことを要旨としている。
【００３２】
上記請求項１３及び１４に記載の発明では、回転直線運動変換機構の完成前に固定剤を溶融させるようにしている。これにより、回転直線運動変換機構の動作が固定剤により妨げられることを抑制することができるようになる。
【００３３】
（１５）請求項１５に記載の発明は、請求項１〜１４のいずれか一項に記載の回転直線運動変換機構の製造方法において、当該回転直線運動変換機構に対して要求される機械的性質を要求性質とし、当該回転直線運動変換機構の組立過程における構成要素の集合体を特定集合体とし、該特定集合体を加熱しても該特定集合体の機械的性質が前記要求性質に維持される温度領域を基準温度領域とし、該基準温度領域に属する温度のうちで最も高い温度を基準温度として、前記固定剤は該基準温度未満の融点を有するものであることを要旨としている。
【００３４】
上記発明によれば、固定剤として基準温度未満の融点を有するものを採用するようにしている。これにより、特定集合体の加熱を通じて固定剤を溶融させる際に、特定集合体の機械的性質を要求性質に維持することができるようになる。
【００３５】
（１６）請求項１６に記載の発明は、請求項１〜１４のいずれか一項に記載の回転直線運動変換機構の製造方法において、当該回転直線運動変換機構の組立過程における構成要素の集合体を特定集合体とし、該特定集合体を加熱しても該特定集合体が焼鈍されない温度領域を基準温度領域とし、該温度領域に属する温度のうちで最も高い温度を基準温度として、前記固定剤は該基準温度未満の融点を有するものであることを要旨としている。
【００３６】
上記発明によれば、固定剤として基準温度未満の融点を有するものを採用するようにしている。これにより、特定集合体の加熱を通じて、同集合体の各構成要素を焼鈍させることなく固定剤を溶融させることができるようになる。
【００３７】
（１７）請求項１７に記載の発明は、請求項１５または１６に記載の回転直線運動変換機構の製造方法において、前記特定集合体を加熱して前記固定剤を溶融させる際に前記特定集合体を前記固定剤の融点以上かつ前記基準温度未満の温度まで加熱することを要旨としている。
【００３８】
上記発明によれば、特定集合体を固定剤の融点以上かつ基準温度未満の温度まで加熱して固定剤を溶融させるようにしている。これにより、請求項１７に記載の発明が請求項１５に記載の発明を前提とする場合には、固定剤が除去された状態で回転直線運動変換機構を組み立てることと、機械的性質を要求性質に維持した状態で回転直線運動変換機構を組み立てることとの両立を実現することができるようになる。また、請求項１７に記載の発明が請求項１６に記載の発明を前提とする場合には、固定剤が除去された状態で回転直線運動変換機構を組み立てることと、各構成要素が焼鈍されていない状態で回転直線運動変換機構１を組み立てることとの両立を実現することができるようになる。
【発明を実施するための最良の形態】
【００３９】
本発明の実施形態について、図１〜図２０を参照して説明する。以下では、本実施形態の製造方法を通じて組み立てられる回転直線運動変換機構の構造、同変換機構の動作態様、及び回転直線運動変換機構の製造方法の順に従って説明を行う。
【００４０】
＜回転直線運動変換機構の構造＞
図１及び図２を参照して、回転直線運動変換機構１の構造の概略について説明する。
・図１は、回転直線運動変換機構１の斜視構造を示す。
・図２は、回転直線運動変換機構１の内部の斜視構造を示す。
【００４１】
回転直線運動変換機構１は、軸方向へ延びる空間を内部に有するリングシャフト２と、リングシャフト２の内部に配置されるサンシャフト３と、サンシャフト３の周囲に配置される複数のプラネタリシャフト４との組み合わせにより構成されている。リングシャフト２及びサンシャフト３は、各々の中心線が互いに整合する状態または実質的に整合する状態で配置されている。サンシャフト３及び各プラネタリシャフト４は、各々の中心線が互いに平行となる状態または実質的に平行となる状態で配置されている。また、各プラネタリシャフト４はサンシャフト３のまわりにおいて等間隔に配置されている。
【００４２】
本実施形態では、回転直線運動変換機構１の各構成要素について、自身の中心線がサンシャフト３の中心線と整合する姿勢及び実質的に整合する姿勢を整合姿勢とする。また、自身の中心線がサンシャフト３の中心線と平行となる姿勢及び実質的に平行となる姿勢を平行姿勢とする。すなわち、リングシャフト２は整合姿勢に保持された状態で回転直線運動変換機構１を構成している。また、各プラネタリシャフト４は平行姿勢に保持された状態で回転直線運動変換機構１を構成している。
【００４３】
回転直線運動変換機構１においては、リングシャフト２に設けられたねじ及びギアと各プラネタリシャフト４に設けられたねじ及びギアとの噛み合いにより、リングシャフト２及び各プラネタリシャフト４の一方の構成要素から他方の構成要素に力が伝達される。また、サンシャフト３に設けられたねじ及びギアと各プラネタリシャフト４に設けられたねじ及びギアとの噛み合いにより、サンシャフト３及び各プラネタリシャフト４の一方の構成要素から他方の構成要素に力が伝達される。
【００４４】
回転直線運動変換機構１は、こうした各構成要素の組み合わせに基づいて次のように動作する。すなわち、リングシャフト２及びサンシャフト３の一方の構成要素が回転運動するとき、同構成要素から伝達された力を通じて各プラネタリシャフト４がサンシャフト３のまわりで遊星運動する。これにより、各プラネタリシャフト４からリングシャフト２及びサンシャフト３の他方の構成要素に伝達された力を通じて同構成要素が各プラネタリシャフト４に対して軸方向へ移動する。
【００４５】
このように、回転直線運動変換機構１は、リングシャフト２及びサンシャフト３の一方の回転運動をリングシャフト２及びサンシャフト３の他方の直線運動に変換する。なお、本実施形態においては、サンシャフト３の軸方向について、サンシャフト３がリングシャフト２から押し出される方向を前面方向ＦＲとし、サンシャフト３がリングシャフト２内に引き込まれる方向を背面方向ＲＲとしている。また、回転直線運動変換機構１の任意の位置を基準としたときに、この基準位置よりも前面方向ＦＲ側の範囲を前面側とし、同基準位置よりも背面方向ＲＲ側の範囲を背面側としている。
【００４６】
リングシャフト２には、サンシャフト３を支持する前面カラー５１及び背面カラー５２が固定されている。すなわち、リングシャフト２と前面カラー５１及び背面カラー５２とが一体的に運動する。リングシャフト２においては、前面側の開口部が前面カラー５１により閉塞されている。また、背面側の開口部が背面カラー５２により閉塞されている。
【００４７】
サンシャフト３は、前面カラー５１のベアリング５１Ａ及び背面カラー５２のベアリング５２Ａにより支持されている。一方で、各プラネタリシャフト４は、前面カラー５１及び背面カラー５２のいずれによっても支持されていない。すなわち、回転直線運動変換機構１においては、サンシャフト３の径方向の位置がねじ及びギアの噛み合いと前面カラー５１及び背面カラー５２とにより拘束されている一方で、各プラネタリシャフト４の径方向の位置がねじ及びギアの噛み合いのみにより拘束されている。
【００４８】
回転直線運動変換機構１には、リングシャフト２の内部（リングシャフト２、サンシャフト３及び各プラネタリシャフト４のねじ及びギアが噛み合わされている箇所）を潤滑するために次のような構造が採用されている。すなわち、リングシャフト２の内部に潤滑油を供給するための油孔５１Ｈが前面カラー５１に複数形成されている。また、リングシャフト２の内部をシールするＯリング５３が前面カラー５１及び背面カラー５２の各々に装着されている。
【００４９】
〔１〕「リングシャフトの構造」
図３を参照して、リングシャフト２の構造について説明する。
・図３（Ａ）は、リングシャフト２の断面構造を示す。
・図３（Ｂ）は、リングシャフト２の一部を分解した状態の断面構造を示す。
【００５０】
リングシャフト２は、リングシャフト本体２１（円環軸本体）と前面リングギア２２及び背面リングギア２３との組み合わせにより構成されている。リングシャフト２においては、リングシャフト本体２１の中心線（軸線）がリングシャフト２の中心線（軸線）に相当する。従って、リングシャフト本体２１の中心線がサンシャフト３の中心線と整合または実質的に整合するときにリングシャフト２の整合姿勢が確保される。
【００５１】
リングシャフト本体２１は、内周面に雌ねじ２４が形成された本体ねじ部２１Ａと、前面リングギア２２が組み付けられる本体ギア部２１Ｂと、背面リングギア２３が組み付けられる本体ギア部２１Ｃとを含めて構成されている。
【００５２】
前面リングギア２２は、平歯の内歯車としてリングシャフト本体２１とは各別に形成されている。また、リングシャフト本体２１に組み付けられたときに自身の中心線がリングシャフト本体２１の中心線と整合するように構成されている。リングシャフト本体２１に対する前面リングギア２２の組み付け態様について、本実施形態では圧入により前面リングギア２２をリングシャフト本体２１に固定するようにしている。なお、圧入以外の方法により前面リングギア２２をリングシャフト本体２１に固定することもできる。
【００５３】
背面リングギア２３は、平歯の内歯車としてリングシャフト本体２１とは各別に形成されている。また、リングシャフト本体２１に組み付けられたときに自身の中心線がリングシャフト本体２１の中心線と整合するように構成されている。リングシャフト本体２１に対する背面リングギア２３の組み付け態様について、本実施形態では圧入により背面リングギア２３をリングシャフト本体２１に固定するようにしている。なお、圧入以外の方法により背面リングギア２３をリングシャフト本体２１に固定することもできる。
【００５４】
リングシャフト２において、前面リングギア２２及び背面リングギア２３は同一形状の歯車として構成されている。すなわち、前面リングギア２２及び背面リングギア２３の諸元（基準ピッチ円直径や歯数等）が互いに等しい値に設定されている。
【００５５】
〔２〕「サンシャフトの構造」
図４を参照して、サンシャフト３の構造について説明する。
・図４（Ａ）は、サンシャフト３の正面構造を示す。
・図４（Ｂ）は、サンシャフト３の一部を分解した状態の正面構造を示す。
【００５６】
サンシャフト３は、サンシャフト本体３１（太陽軸本体）と背面サンギア３３との組み合わせにより構成されている。サンシャフト３においては、サンシャフト本体３１の中心線（軸線）がサンシャフト３の中心線（軸線）に相当する。
【００５７】
サンシャフト本体３１は、外周面に雄ねじ３４が形成された本体ねじ部３１Ａと、平歯の外歯車（前面サンギア３２）が形成された本体ギア部３１Ｂと、背面サンギア３３が組み付けられる本体ギア部３１Ｃとを含めて構成されている。
【００５８】
背面サンギア３３は、平歯の外歯車としてサンシャフト本体３１とは各別に形成されている。また、サンシャフト本体３１に組み付けられたときに自身の中心線がサンシャフト本体３１の中心線と整合するように構成されている。サンシャフト本体３１に対する背面サンギア３３の組み付け態様について、本実施形態では圧入により背面サンギア３３をサンシャフト本体３１に固定するようにしている。なお、圧入以外の方法により背面サンギア３３をサンシャフト本体３１に固定することもできる。
【００５９】
サンシャフト３において、前面サンギア３２及び背面サンギア３３は同一形状の歯車として構成されている。すなわち、前面サンギア３２及び背面サンギア３３の諸元（基準ピッチ円直径や歯数等）が互いに等しい値に設定されている。
【００６０】
〔３〕「プラネタリシャフトの構造」
図５を参照して、プラネタリシャフト４の構造について説明する。
・図５（Ａ）は、プラネタリシャフト４の正面構造を示す。
・図５（Ｂ）は、プラネタリシャフト４の一部を分解した状態の正面構造を示す。
・図５（Ｃ）は、中心線に沿った背面プラネタリギア４３の断面構造を示す。
【００６１】
プラネタリシャフト４は、プラネタリシャフト本体４１（遊星軸本体）と背面プラネタリギア４３との組み合わせにより構成されている。プラネタリシャフト４においては、プラネタリシャフト本体４１の中心線（軸線）がプラネタリシャフト４の中心線（軸線）に相当する。従って、プラネタリシャフト本体４１の中心線がサンシャフト３の中心線に対して平行または実質的に平行となるときに、プラネタリシャフト４の平行姿勢が確保される。
【００６２】
プラネタリシャフト本体４１は、外周面に雄ねじ４４が形成された本体ねじ部４１Ａと、平歯の外歯車（前面プラネタリギア４２）が形成された本体ギア部４１Ｂと、背面プラネタリギア４３が組み付けられる背面側シャフト４１Ｒと、回転直線運動変換機構１の組み立てに際して治具にはめ込まれる前面側シャフト４１Ｆとを含めて構成されている。
【００６３】
背面プラネタリギア４３は、平歯の外歯車としてプラネタリシャフト本体４１とは各別に形成されている。また、プラネタリシャフト本体４１の背面側シャフト４１Ｒが軸受孔４３Ｈに挿入されることによりプラネタリシャフト本体４１に組み付けられる。また、プラネタリシャフト本体４１に組み付けられた状態において、自身の中心線がプラネタリシャフト本体４１の中心線と整合するように構成されている。
【００６４】
プラネタリシャフト本体４１に対する背面プラネタリギア４３の組み付け態様について、本実施形態では背面プラネタリギア４３がプラネタリシャフト本体４１に対して相対的に回転できるようにすきまばめを採用している。なお、プラネタリシャフト本体４１と背面プラネタリギア４３との相対的な回転を得るための組み付け態様として、すきまばめ以外の組み付け態様を採用することもできる。
【００６５】
プラネタリシャフト４において、前面プラネタリギア４２及び背面プラネタリギア４３は同一形状の歯車として構成されている。すなわち、前面プラネタリギア４２及び背面プラネタリギア４３の諸元（基準ピッチ円直径や歯数等）が互いに等しい値に設定されている。
【００６６】
〔４〕「各構成要素の関係」
図６〜図９を参照して、回転直線運動変換機構１における各構成要素の関係について説明する。なお、ここでは９本のプラネタリシャフト４が備えられている構造の回転直線運動変換機構１を例示しているが、プラネタリシャフト４の配置数は適宜変更することができる。
・図６は、サンシャフト３の中心線に沿った回転直線運動変換機構１の断面構造を示す。
・図７は、図６のＤＡ−ＤＡ線に沿った回転直線運動変換機構１の断面構造を示す。
・図８は、図６のＤＢ−ＤＢ線に沿った回転直線運動変換機構１の断面構造を示す。
・図９は、図６のＤＣ−ＤＣ線に沿った回転直線運動変換機構１の断面構造を示す。
【００６７】
回転直線運動変換機構１においては、各構成要素の動作が次のように許容または制限されている。
（ａ）リングシャフト２について、リングシャフト本体２１と前面リングギア２２及び背面リングギア２３との相対的な回転が不能にされている。また、リングシャフト本体２１と前面カラー５１及び背面カラー５２との相対的な回転が不能にされている。
（ｂ）サンシャフト３について、サンシャフト本体３１と背面サンギア３３との相対的な回転が不能にされている。
（ｃ）プラネタリシャフト４について、プラネタリシャフト本体４１と背面プラネタリギア４３との相対的な回転が許容されている。
【００６８】
回転直線運動変換機構１においては、リングシャフト２及びサンシャフト３と各プラネタリシャフト４とのねじ及びギアの噛み合いを通じて、これら各構成要素の間で次のように力の伝達が行われる。
【００６９】
リングシャフト２及び各プラネタリシャフト４においては、リングシャフト本体２１の雌ねじ２４と各プラネタリシャフト本体４１の雄ねじ４４とが噛み合わされる。また、リングシャフト本体２１の前面リングギア２２と各プラネタリシャフト本体４１の前面プラネタリギア４２とが噛み合わされる。また、リングシャフト本体２１の背面リングギア２３と各プラネタリシャフト本体４１の背面プラネタリギア４３とが噛み合わされる。
【００７０】
これにより、リングシャフト２及び各プラネタリシャフト４の一方に回転運動が入力されたときには、雌ねじ２４と雄ねじ４４との噛み合い、前面リングギア２２と前面プラネタリギア４２との噛み合い、及び背面リングギア２３と背面プラネタリギア４３との噛み合いを通じて、リングシャフト２及び各プラネタリシャフト４の他方に力が伝達される。
【００７１】
サンシャフト３及び各プラネタリシャフト４においては、サンシャフト本体３１の雄ねじ３４と各プラネタリシャフト本体４１の雄ねじ４４とが噛み合わされる。また、サンシャフト本体３１の前面サンギア３２と各プラネタリシャフト本体４１の前面プラネタリギア４２とが噛み合わされる。また、サンシャフト本体３１の背面サンギア３３と各プラネタリシャフト本体４１の背面プラネタリギア４３とが噛み合わされる。
【００７２】
これにより、サンシャフト３及び各プラネタリシャフト４の一方に回転運動が入力されたときには、雄ねじ３４と雄ねじ４４との噛み合い、前面サンギア３２と前面プラネタリギア４２との噛み合い、及び背面サンギア３３と背面プラネタリギア４３との噛み合いを通じて、サンシャフト３及び各プラネタリシャフト４の他方に力が伝達される。
【００７３】
このように、回転直線運動変換機構１は、リングシャフト２の雌ねじ２４とサンシャフト３の雄ねじ３４と各プラネタリシャフト４の雄ねじ４４とにより構成される減速機構、前面リングギア２２と前面サンギア３２と各前面プラネタリギア４２とにより構成される減速機構、及び背面リングギア２３と背面サンギア３３と各背面プラネタリギア４３とにより構成される減速機構とを備えて構成されている。
【００７４】
＜回転直線運動変換機構の動作態様＞
回転直線運動変換機構１においては、各ギアの歯数及び各ねじの条数の設定態様に基づいて、回転運動を直線運動に変換するための動作方式（運動変換方式）が決定される。すなわち、運動変換方式として、リングシャフト２の回転運動によりサンシャフト３を直線運動させる太陽軸変位方式と、サンシャフト３の回転運動によりリングシャフト２を直線運動させる円環軸変位方式とのいずれかを選択することができる。以下、各運動変換方式における回転直線運動変換機構１の動作態様について説明する。
【００７５】
（Ａ）運動変換方式として太陽軸変位方式が採用されている場合においては、次のように回転運動から直線運動への変換が行われる。すなわち、リングシャフト２に回転運動を入力したとき、前面リングギア２２と各前面プラネタリギア４２との噛み合い、背面リングギア２３と各背面プラネタリギア４３との噛み合い、及び雌ねじ２４と各雄ねじ４４との噛み合いを通じて、リングシャフト２から各プラネタリシャフト４に力が伝達されることにより、各プラネタリシャフト４がサンシャフト３のまわりにおいて自転しつつ公転する。そして、このプラネタリシャフト４の遊星運動にともない、各前面プラネタリギア４２と前面サンギア３２との噛み合い、各背面プラネタリギア４３と背面サンギア３３との噛み合い、及び各雄ねじ４４と雄ねじ３４との噛み合いを通じて各プラネタリシャフト４からサンシャフト３に力が伝達されることにより、サンシャフト３が軸方向へ変位する。
【００７６】
（Ｂ）運動変換方式として円環軸変位方式が採用されている場合においては、次のように回転運動から直線運動への変換が行われる。すなわち、サンシャフト３に回転運動を入力したとき、前面サンギア３２と各前面プラネタリギア４２との噛み合い、背面サンギア３３と各背面プラネタリギア４３との噛み合い、及び雄ねじ３４と各雄ねじ４４との噛み合いを通じて、サンシャフト３から各プラネタリシャフト４に力が伝達されることにより、各プラネタリシャフト４がサンシャフト３のまわりにおいて自転しつつ公転する。そして、このプラネタリシャフト４の遊星運動にともない、各前面プラネタリギア４２と前面リングギア２２との噛み合い、各背面プラネタリギア４３と背面リングギア２３との噛み合い、及び各雄ねじ４４と雌ねじ２４との噛み合いを通じて各プラネタリシャフト４からリングシャフト２に力が伝達されることにより、リングシャフト２が軸方向へ変位する。
【００７７】
＜回転直線運動変換機構の製造方法＞
図１０〜図２０を参照して、回転直線運動変換機構１の製造方法について説明する。本実施形態の製造方法においては、以下に示す工程Ａ〜工程Ｊを含めて回転直線運動変換機構１の製造が行われる。なお、ここでは９本のプラネタリシャフト４を備える回転直線運動変換機構１を想定している。
【００７８】
［工程Ａ（図１０）］リングシャフト本体２１、サンシャフト本体３１、プラネタリシャフト本体４１、前面リングギア２２、背面リングギア２３、背面サンギア３３及び背面プラネタリギア４３の各構成要素を洗浄する。
【００７９】
［工程Ｂ（図１１）］サンシャフト本体３１を基本治具６１に取り付ける。
図１２を参照して、基本治具６１の構造について説明する。
・図１２（Ａ）は、基本治具６１の正面構造を示す。
・図１２（Ｂ）は、ＤＤ−ＤＤ線に沿った基本治具６１の断面構造を示す。
【００８０】
基本治具６１は、サンシャフト本体３１を固定するための太陽治具６２とプラネタリシャフト本体４１の前面側シャフト４１Ｆを支持するための遊星治具６３とを備えて構成されている。すなわち、回転直線運動変換機構１に備えられるプラネタリシャフト４の数と同じ数の遊星治具６３が太陽治具６２と一体に形成されている。
【００８１】
太陽治具６２は、挿入孔６２Ｈにサンシャフト本体３１を挿入した状態において自身の中心線（挿入孔６２Ｈの中心線）がサンシャフト本体３１の中心線と整合するように構成されている。各遊星治具６３は、それぞれの中心線が挿入孔６２Ｈの中心線まわりにおいて等間隔となるように構成されている。太陽治具６２及び各遊星治具６３は、それぞれの中心線が互いに平行となるように構成されている。各遊星治具６３の先端部には、プラネタリシャフト本体４１の前面側シャフト４１Ｆの形状に対応した支持穴６３Ｈが形成されている。
【００８２】
各プラネタリシャフト本体４１は、自身の中心線と遊星治具６３の中心線とが整合する状態で前面側シャフト４１Ｆが支持穴６３Ｈにはめ込まれたとき、平行姿勢の状態でサンシャフト本体３１のまわりにおいて等間隔に配置されるようになる。
【００８３】
工程Ｂにおいては、具体的には次の（ａ）及び（ｂ）の作業を通じてサンシャフト本体３１を基本治具６１に取り付ける。
（ａ）：サンシャフト本体３１において前面サンギア３２よりも前面側に位置する部位を太陽治具６２に挿入する。
（ｂ）：サンシャフト本体３１を太陽治具６２に固定する。
【００８４】
［工程Ｃ（図１３）］サンシャフト本体３１の雄ねじ３４に接着剤７１を塗布する。これにより、プラネタリシャフト本体４１の雄ねじ４４をサンシャフト本体３１の雄ねじ３４に噛み合わせたとき、サンシャフト本体３１とプラネタリシャフト本体４１とが接着剤７１により固定される。
【００８５】
接着剤７１としては、次の「条件１」及び「条件２」を満たすものが採用される。すなわち、サンシャフト本体３１とプラネタリシャフト本体４１との接着を通じてサンシャフト本体３１に対するプラネタリシャフト本体４１の姿勢を固定することができることを「条件１」とし、リングシャフト２、サンシャフト３及びプラネタリシャフト４よりも低い融点を有することを「条件２」として、これらの条件を満たすものが接着剤７１として採用される。こうした条件を満たす接着剤の一例としては、例えばろうやパラフィンを主成分としたものが挙げられる。
【００８６】
「条件２」は、具体的には次のように設定することができる。すなわち、回転直線運動変換機構１に対して要求される機械的性質を要求性質とし、回転直線運動変換機構１の組立過程における構成要素の集合体を特定集合体とし、特定集合体を加熱した場合においても同特定集合体の機械的性質が要求性質に維持される温度領域を基準温度領域ＴＸとして、同基準温度領域ＴＸ内における加熱を通じて溶融することを「条件２」として設定することができる。また、基準温度領域ＴＸは、特定集合体を加熱した場合においても同特定集合体が焼鈍されない温度領域として設定することができる。
【００８７】
本実施形態においては、接着剤７１として上述した条件を満たすものを採用するようにしている。従って、接着剤７１の融点ＴＬが基準温度領域ＴＸに属する。また、基準温度領域ＴＸに属する温度のうちで最も高い温度を基準温度ＴＨとしたとき、接着剤７１の融点ＴＬが基準温度ＴＨ未満の温度となる。
【００８８】
［工程Ｄ（図１４）］サンシャフト本体３１と各プラネタリシャフト本体４１との組み合わせにより構成される集合体（第１アッセンブリ９１（第１集合体））を組み立てる。すなわち、サンシャフト本体３１に対して各プラネタリシャフト本体４１を組み付けることにより第１アッセンブリ９１を組み立てる。具体的には、次の（ａ）及び（ｂ）の作業を通じて第１アッセンブリ９１の組み立てを行う。
（ａ）：プラネタリシャフト本体４１の中心線が遊星治具６３の中心線と整合するように、すなわちプラネタリシャフト本体４１が平行姿勢の状態でサンシャフト本体３１に接着されるように、各プラネタリシャフト本体４１の前面側シャフト４１Ｆを遊星治具６３に取り付ける。
（ｂ）：サンシャフト本体３１の雄ねじ３４と各プラネタリシャフト本体４１の雄ねじ４４とを噛み合わせるとともに前面サンギア３２と各前面プラネタリギア４２とを噛み合わせる。
【００８９】
［工程Ｅ（図１５）］第１アッセンブリ９１と前面リングギア２２との組み合わせにより構成される集合体（第２アッセンブリ９２）を組み立てる。すなわち、第１アッセンブリ９１に対して前面リングギア２２を組み付けることにより第２アッセンブリ９２を組み立てる。具体的には、次の（ａ）及び（ｂ）の作業を通じて第２アッセンブリ９２の組み立てを行う。
（ａ）：第１アッセンブリ９１の背面側においてサンシャフト本体３１の中心線と自身の中心線とが整合する位置に前面リングギア２２を配置する。
（ｂ）：前面リングギア２２と各前面プラネタリギア４２とを噛み合わせる。
【００９０】
［工程Ｆ（図１６）］第２アッセンブリ９２とリングシャフト本体２１との組み合わせにより構成される集合体（第３アッセンブリ９３（第２集合体））を組み立てる。すなわち、第２アッセンブリ９２に対してリングシャフト本体２１を組み付けることにより第３アッセンブリ９３を組み立てる。具体的には、次の（ａ）〜（ｃ）の作業を通じて第３アッセンブリ９３の組み立てを行う。
（ａ）：第２アッセンブリ９２の背面側においてサンシャフト本体３１の中心線と自身の中心線とが整合する位置にリングシャフト本体２１を配置する。
（ｂ）：リングシャフト本体２１の雌ねじ２４を各プラネタリシャフト本体４１の雄ねじ４４に噛み合わせて所定の位置までねじ込む。
（ｃ）：前面リングギア２２を本体ギア部２１Ｂに圧入することによりリングシャフト本体２１に固定する。
【００９１】
［工程Ｇ（図１７）］背面リングギア２３と背面サンギア３３と各背面プラネタリギア４３との組み合わせにより構成される集合体（ギアアッセンブリ９９）を組み立てる。具体的には、ギアアッセンブリ９９を組み立てるための作業及びそれに付随する作業として次の（ａ）及び（ｂ）の作業を行う。
（ａ）：背面リングギア２３、背面サンギア３３及び各背面プラネタリギア４３を歯車治具６４の対応する位置に取り付ける。すなわち、歯車治具６４上において、背面リングギア２３及び背面サンギア３３と各背面プラネタリギア４３とを噛み合わせる。この作業を通じて、背面リングギア２３の中心線と背面サンギア３３の中心線とが整合した状態かつ各背面プラネタリギア４３の中心線が背面サンギア３３の中心線に対して平行となる状態でギアアッセンブリ９９が組み立てられる。
（ｂ）：ギアアッセンブリ９９を歯車治具６４から取り外した後、背面リングギア２３及び背面サンギア３３の中心線が第３アッセンブリ９３のリングシャフト本体２１の中心線と整合する位置にギアアッセンブリ９９を移動する。この作業を通じて、背面リングギア２３及び背面サンギア３３が整合姿勢に保持されるとともに各背面プラネタリギア４３が平行姿勢に保持される。
【００９２】
［工程Ｈ（図１８）］第３アッセンブリ９３とギアアッセンブリ９９との組み合わせにより構成される集合体（第４アッセンブリ９４（第３集合体））を組み立てる。すなわち、第３アッセンブリ９３に対してギアアッセンブリ９９を組み付けることにより第４アッセンブリ９４を組み立てる。具体的には、次の（ａ）〜（ｃ）の作業を通じて第４アッセンブリ９４の組み立てを行う。
（ａ）：ギアアッセンブリ９９の各背面プラネタリギア４３を対応するプラネタリシャフト本体４１の背面側シャフト４１Ｒに取り付ける。
（ｂ）：背面リングギア２３をリングシャフト本体２１の本体ギア部２１Ｃにはめ合わせた後、リングシャフト本体２１に圧入する。
（ｃ）：背面サンギア３３をサンシャフト本体３１の本体ギア部３１Ｃにはめ合わせた後、サンシャフト本体３１に圧入する。
【００９３】
［工程Ｉ（図１９）］第４アッセンブリ９４の加熱を通じて接着剤７１を除去する。具体的には、次の（ａ）〜（ｃ）の作業を通じて接着剤７１の除去を行う。
（ａ）：第４アッセンブリ９４を加熱装置７２内に配置する。
（ｂ）：加熱装置７２を通じて第４アッセンブリ９４を加熱前の温度から接着剤７１の融点ＴＬ以上かつ基準温度ＴＨ未満の温度まで加熱する。
（ｃ）：一定時間にわたって第４アッセンブリ９４の温度を上記（ｂ）の作業にて得られた温度に維持する。これにより、接着剤７１が溶融するため第４アッセンブリ９４から接着剤７１が除去される。
【００９４】
［工程Ｊ（図２０）］第４アッセンブリ９４と前面カラー５１及び背面カラー５２との組み合わせにより構成される集合体（回転直線運動変換機構１）を組み立てる。すなわち、第４アッセンブリ９４に対して前面カラー５１及び背面カラー５２を組み付けることにより回転直線運動変換機構１を組み立てる。具体的には、次の（ａ）及び（ｂ）の作業を通じて回転直線運動変換機構１の組み立てを行う。
（ａ）：前面カラー５１にＯリング５３を装着した後、リングシャフト本体２１の本体ギア部２１Ｂに前面カラー５１を取り付ける。
（ｂ）：背面カラー５２にＯリング５３を装着した後、リングシャフト本体２１の本体ギア部２１Ｃに背面カラー５２を取り付ける。
【００９５】
＜実施形態の効果＞
以上詳述したように、この実施形態にかかる回転直線運動変換機構の製造方法によれば、以下に示す効果が得られるようになる。
【００９６】
（１）回転直線運動変換機構１においては、リングシャフト２、サンシャフト３及び各プラネタリシャフト４のねじの条数が異なる値に設定されるため、リングシャフト２の雌ねじ２４及びサンシャフト３の雄ねじ３４と各プラネタリシャフト４の雄ねじ４４とが噛み合わされたときにこれらねじの間にバックラッシが形成される。また、このバックラッシの大きさは各ねじの条数の設定態様に応じて異なる。こうしたことから、回転直線運動変換機構１の製造過程において各構成要素の組み合わせにともないプラネタリシャフト本体４１に力が加えられたとき、プラネタリシャフト本体４１が上記バックラッシをうめる方向へ動かされることによりプラネタリシャフト本体４１が平行姿勢に対して傾いた状態で回転直線運動変換機構１が組み立てられることもある。
【００９７】
例えば、回転直線運動変換機構１の製造に際して、本実施形態のようにサンシャフト本体３１と各プラネタリシャフト本体４１とを組み合わせた後にリングシャフト本体２１を各プラネタリシャフト本体４１に組み付ける場合には、次のようにプラネタリシャフト本体４１の傾きが生じる。すなわち、リングシャフト本体２１の雌ねじ２４を各プラネタリシャフト本体４１の雄ねじ４４に噛み合わせるとき、リングシャフト本体２１から各プラネタリシャフト本体４１に力が加えられることによりプラネタリシャフト本体４１が上記バックラッシをうめる方向へ動かされるため、プラネタリシャフト本体４１の傾きが生じるようになる。
【００９８】
この点、本実施形態の製造方法では、接着剤７１により各プラネタリシャフト本体４１をサンシャフト本体３１に固定した状態で第３アッセンブリ９３を組み立てるようにしているため、リングシャフト本体２１を第２アッセンブリ９２に組み付けるときに各プラネタリシャフト本体４１が一定の姿勢（平行姿勢）に保持されるようになる。これにより、プラネタリシャフト４が傾いた状態で回転直線運動変換機構１が組み立てられることを抑制することができるようになる。
【００９９】
（２）本実施形態の製造方法では、サンシャフト本体３１との接着を通じて各プラネタリシャフト本体４１の姿勢を拘束するようにしているため、上述したリテーナを使用する製造方法とは異なり、回転直線運動変換機構１に配置されるプラネタリシャフト４の配置個数にかかわらず各プラネタリシャフト４の傾きを抑制することが可能となる。このように、本実施形態の製造方法によれば、回転直線運動変換機構１のより多様な構造に対応してプラネタリシャフト４の傾きを抑制することができるようになる。
【０１００】
（３）回転直線運動変換機構１においては、プラネタリシャフト４が平行姿勢に対して傾いているとき、リングシャフト２及びサンシャフト３と各プラネタリシャフト４との間においてねじの噛み合いが不均一になるため、局部的にねじの摩耗が促進することにより寿命の低下をまねくようになる。また、リングシャフト２及びサンシャフト３と各プラネタリシャフト４との間におけるフリクションが増大するため、回転運動から直線運動への変換効率の低下をまねくようにもなる。
【０１０１】
この点、本実施形態の製造方法によれば、回転直線運動変換機構１の組み立てにともなうプラネタリシャフト本体４１の傾きが抑制されるため、回転直線運動変換機構１の寿命の向上及び回転運動から直線運動への変換効率の向上を図ることができるようになる。
【０１０２】
（４）回転直線運動変換機構１の製造過程において、第３アッセンブリ９３のプラネタリシャフト本体４１が平行姿勢に対して過度に傾いている場合、ギアアッセンブリ９９の各背面プラネタリギア４３をプラネタリシャフト本体４１の背面側シャフト４１Ｒに組み付けることができなくなる。すなわち、ギアアッセンブリ９９を第３アッセンブリ９３に組み付けることができなくなる。こうした事態が生じた場合には、組み付け作業が一時的に中断されるため、生産性の低下をまねくようになる。
【０１０３】
この点、本実施形態の製造方法では、接着剤７１により各プラネタリシャフト本体４１を平行姿勢に保持した状態で第３アッセンブリ９３とギアアッセンブリ９９とを組み合わせるようにしているため、ギアアッセンブリ９９が的確に第３アッセンブリ９３に組み付けられるようになる。これにより、生産性の低下をまねくことを抑制することができるようになる。
【０１０４】
（５）回転直線運動変換機構１の製造過程において、第３アッセンブリ９３のプラネタリシャフト本体４１が平行姿勢に対して傾いているものの傾き度合いが比較的小さい場合には、ギアアッセンブリ９９の各背面プラネタリギア４３をプラネタリシャフト本体４１の背面側シャフト４１Ｒに組み付けることが可能となる。しかし、この場合には新たに次のような問題が生じる。すなわち、各背面プラネタリギア４３がプラネタリシャフト本体４１の姿勢に追従して傾いた状態で背面側シャフト４１Ｒに組み付けられるため、各背面プラネタリギア４３が平行姿勢に対して傾いた状態で背面リングギア２３及び背面サンギア３３に噛み合わされるようになる。これにより、リングシャフト２及びサンシャフト３と各プラネタリシャフト４との間においてギアの噛み合いが不均一になるため、局部的にギアの摩耗が促進することにより回転直線運動変換機構１の寿命の低下をまねくようになる。また、リングシャフト２及びサンシャフト３と各プラネタリシャフト４との間におけるフリクションが増大するため、回転運動から直線運動への変換効率の低下をまねくようにもなる。
【０１０５】
この点、本実施形態の製造方法では、接着剤７１により各プラネタリシャフト本体４１を平行姿勢に保持した状態で第３アッセンブリ９３とギアアッセンブリ９９とを組み合わせるようにしているため、各背面プラネタリギア４３が傾いた状態で背面リングギア２３及び背面サンギア３３と噛み合わされることが抑制されるようになる。これにより、回転直線運動変換機構１の寿命の向上及び回転運動から直線運動への変換効率の向上を図ることができるようになる。
【０１０６】
（６）リングシャフト本体２１の組み付けにともなう各プラネタリシャフト本体４１の傾きを抑制する製造方法として、本実施形態の製造方法の他に、第１アッセンブリ９１または第２アッセンブリ９２の各プラネタリシャフト本体４１の両端を治具により支持する製造方法が考えられる。ここで、こうした治具の一例として、各プラネタリシャフト本体４１の前面側シャフト４１Ｆを一括して支持するリテーナと各プラネタリシャフト本体４１の背面側シャフト４１Ｒを一括して支持するリテーナとこれら各リテーナを連結する複数のシャフトとにより構成される治具を想定する。
【０１０７】
この治具を用いた製造方法によれば、治具を装着した状態の第２アッセンブリ９２にリングシャフト本体２１を組み付けることにより各プラネタリシャフト本体４１の傾きを抑制することができるものの、各プラネタリシャフト本体４１に背面プラネタリギア４３を組み付けるとき（第３アッセンブリ９３に対してギアアッセンブリ９９を組み付ける工程に相当）、背面側シャフト４１Ｒに装着されたリテーナを各プラネタリシャフト本体４１から取り外す必要がある。すなわち、前面リングギア２２及び前面サンギア３２と各前面プラネタリギア４２とが噛み合わされた状態かつ背面リングギア２３及び背面サンギア３３と各背面プラネタリギア４３とが噛み合わされた状態のアッセンブリ（基準アッセンブリ（本実施形態の第４アッセンブリ９４に相当））を組み立てる前に一方のリテーナを取り外す必要が生じる。
【０１０８】
このように、上記製造方法においては、各プラネタリシャフト本体４１の背面プラネタリギア４３が対応するギアと噛み合わされていない状態でリテーナが取り外されるため、背面プラネタリギア４３の組み付けに際してプラネタリシャフト本体４１の傾きが生じることもある。ちなみに、回転直線運動変換機構１においては、上記各ねじの間のバックラッシに起因してねじの噛み合いだけではプラネタリシャフト本体４１の姿勢が十分に拘束されないこともある。このとき、上記基準アッセンブリ（本実施形態においては第４アッセンブリ９４）の組み立て前にリテーナが取り外されることにより、プラネタリシャフト本体４１の傾きが生じるようになる。一方で、基準アッセンブリにおいてはプラネタリシャフト本体４１の両端部がギアの噛み合いにより拘束されるため、治具等を通じてプラネタリシャフト本体４１の姿勢を拘束しなくともプラネタリシャフト本体４１の傾きが抑制されるようになる。
【０１０９】
上記製造方法に対して、本実施形態の製造方法では接着剤７１を通じて各プラネタリシャフト本体４１を拘束することにより、各プラネタリシャフト本体４１が両端部のギアの噛み合いを通じて拘束されていない状態においても各プラネタリシャフト本体４１を平行姿勢に保持することができるようにしている。従って、各プラネタリシャフト本体４１に背面プラネタリギア４３を組み付ける際に生じるプラネタリシャフト本体４１の傾きを好適に抑制することができるようになる。
【０１１０】
（７）本実施形態の製造方法では、回転直線運動変換機構１の完成前に接着剤７１を溶融させるようにしている。これにより、回転直線運動変換機構１の動作が接着剤７１により妨げられることを抑制することができるようになる。
【０１１１】
（８）回転直線運動変換機構１の製造過程において、基準アッセンブリ（本実施形態においては第４アッセンブリ９４）が組み立てられる前に接着剤７１の除去が行われた場合には次のようなことが問題となる。この場合、各プラネタリシャフト本体４１の両端部がギアの噛み合いを通じて拘束されていない状態で各プラネタリシャフト本体４１がサンシャフト本体３１と接着されなくなるため、接着剤７１の除去にともなってプラネタリシャフト本体４１の傾きが生じることもある。
【０１１２】
この点、本実施形態の製造方法では各リングギア２２，２３及び各サンギア３２，３３と各プラネタリギア４２，４３との噛み合わせを通じてプラネタリシャフト本体４１の姿勢が拘束された後に接着剤７１の除去を行うようにしているため、プラネタリシャフト本体４１の傾きを好適に抑制することができるようになる。
【０１１３】
（９）プラネタリシャフト本体４１に接着剤７１を塗布する製造方法を採用した場合、ロボットを通じてサンシャフト本体３１と各プラネタリシャフト本体４１とを組み合わせるときに、プラネタリシャフト本体４１がロボットに接着されることも想定される。
【０１１４】
この点、本実施形態の製造方法では、サンシャフト本体３１と各プラネタリシャフト本体４１との接着に際してサンシャフト本体３１の雄ねじ３４に接着剤７１を塗布するようにしているため、ロボットを通じてのサンシャフト本体３１とプラネタリシャフト本体４１との組み合わせを好適に実施することができるようになる。
【０１１５】
（１０）本実施形態の製造方法では、接着剤７１として基準温度ＴＨ未満の融点ＴＬを有するものを採用するようにしている。これにより、第４アッセンブリ９４の加熱を通じて接着剤７１を溶融させる際に、第４アッセンブリ９４の機械的性質を要求性質に維持することができるようになる。すなわち、第４アッセンブリ９４の各構成要素を焼鈍させることなく接着剤７１を除去することができるようになる。
【０１１６】
（１１）本実施形態の製造方法では、第４アッセンブリ９４を接着剤７１の融点ＴＬ以上かつ基準温度ＴＨ未満の温度まで加熱して接着剤７１を溶融させるようにしている。これにより、接着剤７１が除去された状態で回転直線運動変換機構１を組み立てることと、機械的性質を要求性質に維持した状態で回転直線運動変換機構１を組み立てることとの両立を実現することができるようになる。すなわち、接着剤７１が除去された状態で回転直線運動変換機構１を組み立てることと、各構成要素が焼鈍されていない状態で回転直線運動変換機構１を組み立てることとの両立を実現することができるようになる。
【０１１７】
＜実施形態の変更例＞
なお、上記実施形態は、例えば以下に示すように変更して実施することもできる。
・上記各実施形態では、第３アッセンブリ９３とギアアッセンブリ９９との組み合わせを通じて第４アッセンブリ９４を組み立てるようにしたが、第４アッセンブリ９４の組み立て手順を例えば次の（Ａ）〜（Ｃ）のいずれかに変更することもできる。
（Ａ）背面リングギア２３、背面サンギア３３及び各背面プラネタリギア４３を個別に第３アッセンブリ９３に組み付けることにより、第４アッセンブリ９４を組み立てる。
（Ｂ）背面リングギア２３と各背面プラネタリギア４３との組み合わせにより構成されるアッセンブリと背面サンギア３３とを個別に第３アッセンブリ９３に組み付けることにより、第４アッセンブリ９４を組み立てる。
（Ｃ）背面サンギア３３と各背面プラネタリギア４３との組み合わせにより構成されるアッセンブリと背面リングギア２３とを個別に第３アッセンブリ９３に組み付けることにより、第４アッセンブリ９４を組み立てる。
【０１１８】
・上記実施形態においては、サンシャフト本体３１の雄ねじ３４に接着剤７１を塗布することによりサンシャフト本体３１と各プラネタリシャフト本体４１とを固定するようにしたが、これら各構成要素を固定する方法を次のように変更することもできる。すなわち、以下の（Ａ）〜（Ｃ）に示す方法の少なくとも一つを採用してサンシャフト本体３１と各プラネタリシャフト本体４１とを固定することもできる。
（Ａ）第１アッセンブリ９１を組み立てる前において、サンシャフト本体３１の雄ねじ３４及び前面サンギア３２の少なくとも一方に接着剤７１を塗布する。
（Ｂ）第１アッセンブリ９１を組み立てる前において、各プラネタリシャフト本体４１の雄ねじ４４及び前面プラネタリギア４２の少なくとも一方に接着剤７１を塗布する。
（Ｃ）第３アッセンブリ９３を組み立てる前において、第２アッセンブリ９２の雄ねじ３４と各雄ねじ４４との噛み合い部及び前面サンギア３２と各前面プラネタリギア４２との噛み合い部の少なくとも一方に接着剤７１を塗布する。
【０１１９】
・上記実施形態においては、第２アッセンブリ９２に対してリングシャフト本体２１を組み付けることにより第３アッセンブリ９３を組み立てる製造方法を想定したが、第３アッセンブリ９３を組み立てるまでの過程を次のように変更することもできる。すなわち、リングシャフト本体２１と各プラネタリシャフト本体４１と前面リングギア２２との組み合わせにより構成される集合体（リングアッセンブリ）を組み立てた後、このアッセンブリに対してサンシャフト本体３１を組み付けることにより第３アッセンブリ９３を組み立てることもできる。こうした製造方法を採用した場合には、（Ａ）〜（Ｃ）に示す方法の少なくとも一つを採用して各プラネタリシャフト本体４１をリングシャフト本体２１に固定することにより、サンシャフト本体３１をリングアッセンブリに組み付ける際に生じるプラネタリシャフト本体４１の傾きを抑制することができるようになる。
（Ａ）リングアッセンブリを組み立てる前において、リングシャフト本体２１の雌ねじ２４及び前面リングギア２２の少なくとも一方に接着剤７１を塗布する。
（Ｂ）リングアッセンブリを組み立てる前において、各プラネタリシャフト本体４１の雄ねじ４４及び前面プラネタリギア４２の少なくとも一方に接着剤７１を塗布する。
（Ｃ）第３アッセンブリ９３を組み立てる前において、リングアッセンブリの雌ねじ２４と各雄ねじ４４との噛み合い部及び前面リングギア２２と各前面プラネタリギア４２との噛み合い部の少なくとも一方に接着剤７１を塗布する。
【０１２０】
・上記実施形態では、各プラネタリシャフト本体４１をサンシャフト本体３１に固定するための固定剤として接着剤７１を採用したが、接着剤７１に代えて例えばグリースを採用することもできる。要するに、回転直線運動変換機構１の製造過程において基準アッセンブリが組み立てられるまでの間、サンシャフト本体３１への固定によりプラネタリシャフト本体４１を一定の姿勢に拘束することができるものであれば固定剤の種類は適宜変更可能である。
【０１２１】
・上記実施形態においては、リングシャフト２及びサンシャフト３と各プラネタリシャフト４との間でねじ及びギアの噛み合いを通じて力の伝達が行われる構造の回転直線運動変換機構１に対して本発明の製造方法を適用したが、リングシャフト２及びサンシャフト３と各プラネタリシャフト４との間でねじの噛み合いのみにより力の伝達が行われる構造の回転直線運動変換機構に対して本発明の製造方法を適用することもできる。具体的には、上記実施形態の製造方法に対して次の変更を加えることにより、上記回転直線運動変換機構の製造方法として本発明の製造方法を具体化することができる。
（ａ）：工程Ｅ、工程Ｇ及び工程Ｈを省略する。
（ｂ）：工程Ｆにおいて、第１アッセンブリ９１とリングシャフト本体２１との組み合わせにより構成されるアッセンブリを組み立てる。
（ｃ）：工程Ｉにおいて、上記（ｂ）の工程にて組み立てたアッセンブリを加熱して接着剤７１を除去する。
（ｄ）：工程Ｊにおいて、上記（ｃ）の工程を経たアッセンブリと前面カラー５１及び背面カラー５２との組み合わせにより回転直線運動変換機構１を組み立てる。
【０１２２】
・本発明の適用対象となる回転直線運動変換機構は、上記実施形態にて例示した構造の回転直線運動変換機構に限られるものではない。要するに、リングシャフトの雌ねじ及びサンシャフトの雄ねじと各プラネタリシャフトの雄ねじとの噛み合いを通じてこれらシャフト間で力の伝達が行われるとともに、リングシャフト及びサンシャフトの一方の回転運動にともなうプラネタリシャフトの遊星運動を通じてリングシャフト及びサンシャフトの他方を直線運動させる回転直線運動変換機構であれば、その製造方法として本発明を具体化することができる。
【図面の簡単な説明】
【０１２３】
【図１】本発明にかかる回転直線運動変換機構の製造方法を具体化した実施形態について、回転直線運動変換機構の斜視構造を示す斜視図。
【図２】同実施形態の回転直線運動変換機構について、その内部構造を示す斜視図。
【図３】（Ａ）同実施形態の回転直線運動変換機構を構成するリングシャフトについて、その中心線に沿った断面構造を示す断面図。（Ｂ）同リングシャフトについて、その一部を分解した状態の断面構造を示す断面図。
【図４】（Ａ）同実施形態の回転直線運動変換機構を構成するサンシャフトについて、その正面構造を示す正面図。（Ｂ）同サンシャフトについて、その一部を分解した状態の正面構造を示す正面図。
【図５】（Ａ）同実施形態の回転直線運動変換機構を構成するプラネタリシャフトについて、その正面構造を示す正面図。（Ｂ）同プラネタリシャフトについて、その一部を分解した状態の正面構造を示す正面図。（Ｃ）同プラネタリシャフトを構成する背面プラネタリギアについて、その中心線に沿った断面構造を示す断面図。
【図６】同実施形態の回転直線運動変換機構について、その中心線に沿った断面構造を示す断面図。
【図７】同実施形態の回転直線運動変換機構について、図６のＤＡ−ＤＡ線に沿った断面構造を示す断面図。
【図８】同実施形態の回転直線運動変換機構について、図６のＤＢ−ＤＢ線に沿った断面構造を示す断面図。
【図９】同実施形態の回転直線運動変換機構について、図６のＤＣ−ＤＣ線に沿った断面構造を示す断面図。
【図１０】同実施形態の回転直線運動変換機構の製造方法について、工程Ａにおける作業態様を示す工程図。
【図１１】同実施形態の回転直線運動変換機構の製造方法について、工程Ｂにおける作業態様を示す工程図。
【図１２】（Ａ）同実施形態の回転直線運動変換機構の製造方法において使用される基本治具について、その正面構造を示す正面図。（Ｂ）同基本治具について、図１２（Ａ）のＤＤ−ＤＤ線に沿った断面構造を示す断面図。
【図１３】同実施形態の回転直線運動変換機構の製造方法について、工程Ｃにおける作業態様を示す工程図。
【図１４】同実施形態の回転直線運動変換機構の製造方法について、工程Ｄにおける作業態様を示す工程図。
【図１５】同実施形態の回転直線運動変換機構の製造方法について、工程Ｅにおける作業態様を示す工程図。
【図１６】同実施形態の回転直線運動変換機構の製造方法について、工程Ｆにおける作業態様を示す工程図。
【図１７】同実施形態の回転直線運動変換機構の製造方法について、工程Ｇにおける作業態様を示す工程図。
【図１８】同実施形態の回転直線運動変換機構の製造方法について、工程Ｈにおける作業態様を示す工程図。
【図１９】同実施形態の回転直線運動変換機構の製造方法について、工程Ｉにおける作業態様を示す工程図。
【図２０】同実施形態の回転直線運動変換機構の製造方法について、工程Ｊにおける作業態様を示す工程図。
【符号の説明】
【０１２４】
１…回転直線運動変換機構、２…リングシャフト、２１…リングシャフト本体、２１Ａ…本体ねじ部、２１Ｂ…本体ギア部、２１Ｃ…本体ギア部、２２…前面リングギア、２３…背面リングギア、２４…雌ねじ、３…サンシャフト、３１…サンシャフト本体、３１Ａ…本体ねじ部、３１Ｂ…本体ギア部、３１Ｃ…本体ギア部、３２…前面サンギア、３３…背面サンギア、３４…雄ねじ、４…プラネタリシャフト、４１…プラネタリシャフト本体、４１Ａ…本体ねじ部、４１Ｂ…本体ギア部、４１Ｆ…前面側シャフト、４１Ｒ…背面側シャフト、４２…前面プラネタリギア、４３…背面プラネタリギア、４３Ｈ…軸受孔、４４…雄ねじ、５１…前面カラー、５１Ａ…ベアリング、５１Ｈ…油孔、５２…背面カラー、５２Ａ…ベアリング、５３…Ｏリング、６１…基本治具、６２…太陽治具、６２Ｈ…挿入孔、６３…遊星治具、６３Ｈ…支持穴、６４…歯車治具、７１…接着剤、７２…加熱装置、９１…第１アッセンブリ、９２…第２アッセンブリ、９３…第３アッセンブリ、９４…第４アッセンブリ、９９…ギアアッセンブリ。
【図１】
2008002583.tif 000003
【図２】
2008002583.tif 000004
【図３】
2008002583.tif 000005
【図４】
2008002583.tif 000006
【図５】
2008002583.tif 000007
【図６】
2008002583.tif 000008
【図７】
2008002583.tif 000009
【図８】
2008002583.tif 000010
【図９】
2008002583.tif 000011
【図１０】
2008002583.tif 000012
【図１１】
2008002583.tif 000013
【図１２】
2008002583.tif 000014
【図１３】
2008002583.tif 000015
【図１４】
2008002583.tif 000016
【図１５】
2008002583.tif 000017
【図１６】
2008002583.tif 000018
【図１７】
2008002583.tif 000019
【図１８】
2008002583.tif 000020
【図１９】
2008002583.tif 000021
【図２０】
2008002583.tif 000022